(57)【要約】【課題】厚さにバラつきが有る遊技盤を位置ズレなく固定できる遊技盤固定装置を提供する。【解決手段】遊技機本体１００前面の遊技盤収納凹部１０５に装着される遊技盤１０４を所定位置で固定する遊技盤固定装置Ａであって、前記遊技盤収納凹部１０５に取着されるベース部材１０と、前記ベース部材１０に回動自在に軸着され前記遊技盤１０４を固定する際に該遊技盤１０４の前面に当接する遊技盤押さえ部３７を有する可動部材３０と、前記遊技盤１０４が前記所定位置で固定されるように前記可動部材３０の回動を停止するロック機構部５０と、前記所定位置で固定された前記遊技盤１０４の後面に当接して該遊技盤１０４を前方に付勢し該遊技盤１０４を前記可動部材３０の遊技盤押さえ部３７との間で挟持する弾性部材６０とを備える。【選択図】図４
2015037459.tif 000002
【特許請求の範囲】
【請求項１】
遊技機本体前面の遊技盤収納凹部に装着される遊技盤を所定位置で固定する遊技盤固定装置であって、
前記遊技盤収納凹部に取着されるベース部材と、前記ベース部材に前記遊技盤収納凹部の遊技盤取付面に対して直交する面内で回動自在に軸着され前記遊技盤を固定する際に該遊技盤の前面に当接する遊技盤押さえ部を有する可動部材と、前記遊技盤が前記所定位置で固定されるように前記可動部材の回動を停止するロック機構部と、前記所定位置で固定された前記遊技盤の後面に当接して該遊技盤を前方に付勢し該遊技盤を前記可動部材の遊技盤押さえ部との間で挟持する弾性部材と、を備え、
前記遊技盤を前記所定位置に固定した状態における前記可動部材の遊技盤押さえ部の前後方向位置が常に同位置となることを特徴とする遊技盤固定装置。
【発明の詳細な説明】
【技術分野】
【０００１】
本発明は、遊技機本体前面に形成された遊技盤収納凹部に遊技盤を装着するために使用される遊技盤固定装置に関するものである。
【背景技術】
【０００２】
従来、入賞装置や表示装置などが配置された遊技盤を遊技機本体前面に形成された遊技盤収納凹部にその前側から着脱自在に取り付けるため、遊技盤固定装置が用いられている。一般的なパチンコ遊技機には、遊技盤収納凹部の左側の上下に挟着部材が設けられると共に、遊技盤収納凹部の右側の上下に遊技盤固定装置が設けられており、遊技盤の左側縁部を挟着部材に差し込み、続いて、この左側を中心に遊技盤を回動させながら遊技盤の右側縁部を固定装置に嵌めて遊技盤を固定するようにしている。
【０００３】
ところで、遊技盤の厚さは一般的に１９ｍｍ程度に設定されているが、遊技盤はベニヤ板、アクリル板、樹脂成形板といった素材の異なるものが用いられていると共に、その表面に合成樹脂製の化粧シートを接着剤で積層して成形するため、遊技盤の厚さにはバラつきが生じてしまうことがある。さらに、この遊技盤は、ガラス板と本体枠によって密閉された状態で固定されており、パチンコ店の営業中は多数の電気部品により暖められ乾燥するなど、営業中と営業時間外では温度差や湿度の差があることから、わずかに膨張や縮小してしまい、遊技盤の厚さを誤差なく一定に揃えることは困難である。
【０００４】
このような厚さに多少の誤差が生じる遊技盤を固定できるように、例えば、特許文献１の図９に示された固定装置がある。この遊技盤固定装置は、遊技盤収納凹部に取着される取り付けブラケット１０４と、遊技盤を受け入れ可能な略コ字形の凹部を備えた係合部材１０６等により構成され、係合部材１０６は取り付けブラケット１０４に回動自在に軸着されている。そして、遊技盤の側縁部を係合部材１０６の凹部内に位置させ、係合部材１０６を遊技盤が固定される位置に回動することで遊技盤を固定している。また、遊技盤を受け入れる凹部を備えた係合部材１０６は、前係合体１１１及び後係合体１１３を軸１１４によって連結することでコ字状の凹部を形成している。すなわち、遊技盤を固定する際、遊技盤の背面が後係合体１１３に当接し、遊技盤の前面は前係合体１１１によって押さえられることとなる。そのため、遊技盤の厚さの変化に対応して、遊技盤を受け入れる凹部の奥行幅、すなわち、後係合体１１３に対する前係合体１１１の位置が変位可能に構成されている。
【先行技術文献】
【特許文献】
【０００５】
【特許文献１】特開２０１２−７１２０９号公報（第７頁、図９）
【発明の概要】
【発明が解決しようとする課題】
【０００６】
しかしながら、前述した特許文献１の遊技盤固定装置においては、以下のような問題が生じる。遊技盤収納凹部に取付けられた遊技盤の背面位置は後係合体１１３によって所定位置に保持されるが、遊技盤の前面位置は、遊技盤の厚さによって変わってしまうこととなる。つまり、遊技盤が所定寸法より厚いと、遊技盤の前面が所定位置より前方へずれてしまい、遊技盤が所定寸法より薄いと、遊技盤の前面が所定位置より後方へずれてしまう。しかも、遊技盤固定装置の前係合体１１１は遊技盤面を平行に押圧しないという問題も生じる。よって、遊技盤の取り付け位置に誤差がでてしまい、遊技盤と遊技盤下方の球発射位置との位置関係にズレが生じ、球飛び状態が狂うなど遊技に支障をきたすこととなる。また、遊技盤が傾いた状態で固定されると、遊技球の入賞装置への入賞にも影響が出てしまうといった重大な課題が生じる。さらに、遊技盤の厚さが想定より厚い場合、係合部材１０６の凹部に遊技盤を受け入れる際、係合部材１０６によって遊技盤の前面に貼ってある合成樹脂製の化粧シートにキズが付いてしまうといった課題も有った。
【０００７】
そこで、本発明は前記課題を解決すべくなされたもので、遊技盤の厚み寸法にバラつきが有っても、遊技盤を所定の位置に位置ズレを起こすことなく配置でき、さらに、遊技盤を遊技盤収納凹部に装着する際に遊技盤面の化粧シートにキズが付くことを防止できる遊技盤固定装置を提供することを目的とするものである。
【課題を解決するための手段】
【０００８】
かかる目的を達成するため本発明に係る遊技盤固定装置は、遊技機本体前面の遊技盤収納凹部に装着される遊技盤を所定位置で固定する遊技盤固定装置であって、前記遊技盤収納凹部に取着されるベース部材と、前記ベース部材に前記遊技盤収納凹部の遊技盤取付面に対して直交する面内で回動自在に軸着され前記遊技盤を固定する際に該遊技盤の前面に当接する遊技盤押さえ部を有する可動部材と、前記遊技盤が前記所定位置で固定されるように前記可動部材の回動を停止するロック機構部と、前記所定位置で固定された前記遊技盤の後面に当接して該遊技盤を前方に付勢し該遊技盤を前記可動部材の遊技盤押さえ部との間で挟持する弾性部材と、を備え、前記遊技盤を前記所定位置に固定した状態における前記可動部材の遊技盤押さえ部の前後方向位置が常に同位置となることを特徴としている。
【発明の効果】
【０００９】
本発明に係る遊技盤固定装置によって装着された遊技盤の前面は、遊技盤の厚さに影響なく必ず所定の位置に正しく設置されることになり、遊技盤前面と遊技盤の下方の球発射位置との位置関係にズレが生じず、常に安定した球飛び状態を維持することができる。また、遊技盤が傾くおそれもないので遊技球の入賞に影響をあたえることもない。さらに、本発明に係る遊技盤固定装置によれば、遊技盤を固定する際に遊技盤前面の化粧シート等をキズつけることもない。
【図面の簡単な説明】
【００１０】
【図１】遊技盤が装着された状態を示すパチンコ遊技機の正面図。
【図２】第１実施形態の遊技盤固定装置の斜視図。
【図３】第１実施形態の遊技盤固定装置の分解斜視図。
【図４】（イ）乃至（ハ）は第１実施形態の遊技盤固定装置の動作説明書。
【図５】（イ）（ロ）は第２実施形態の遊技盤固定装置の動作説明図。
【図６】第３実施形態の遊技盤固定装置の斜視図。
【図７】（イ）（ロ）は第３実施形態の遊技盤固定装置の動作説明図。
【発明を実施するための形態】
【００１１】
以下、本発明に係る遊技盤固定装置の実施の形態を図面に基き説明する。遊技盤固定装置は、例えばパチンコ遊技機、雀球機、アレパチ機等の遊技機に適用されるが、このうちパチンコ遊技機に適用される場合について説明する。まず、本発明に係る遊技盤固定装置が適用されるパチンコ遊技機について説明する。図１は遊技盤が装着された状態を示すパチンコ遊技機の正面図である。パチンコ遊技機Ｐは、遊技機本体１００と該遊技機本体１００の前面にその左側を軸着して開閉自在に装着される透明板保持枠１０１とから構成されている。
【００１２】
遊技機本体１００は、長方形状の機枠１０２と、その前面に左側を軸着して開閉自在に装着される本体枠１０３とからなる。本体枠１０３の前面上部に、後方へ窪んで遊技盤１０４をその前側から取り付けまたは取り外すことができる方形状の遊技盤収納凹部１０５が形成されている。また、本体枠１０３の下部前面に、右側に寄せて打球発射レール１０６及び該打球発射レール１０６に供給される遊技球を遊技盤１０４の遊技部１０４ａに打ち込むための打球発射装置１０７が配置される。更に、その左側には、零れ球やファール球を受け入れ後記する下球皿１０９に排出する遊技球集合通路樋１０８が配置される。本体枠１０３の下部前面には、下球皿１０９が装着されると共にその右側に前記打球発射レール１０６から発射される遊技球の打球力を調整するための打球力調整ハンドル１１０が装着されている。
【００１３】
遊技盤１０４の前面には内側ガイドレール１１１ａと外側ガイドレール１１１ｂが略渦巻き状に敷設され、内側・外側ガイドレール１１１ａ，１１１ｂに囲まれるようにして遊技部１０４ａが形成される。この遊技部１０４ａには、その中央部に盤面部品として図柄を変動表示する可変表示装置１１２が配設され、その下方に遊技球の入賞により該可変表示装置１１２が作動する始動入賞口１１３が配設される。また、その下方に前記図柄が特定の図柄（例えば、「７７７」）に揃って「大当り」という遊技者に有利な特別遊技状態となったとき、一定の条件の下で開成し一度に多くの入賞球を発生させる入賞装置１１４が配設されている。遊技部１０４ａの中央最下部には、アウト球を遊技盤１０４の後側へ排出するためのアウト球排出口１１５が開設される。なお、図中１１６は通常入賞口、１１７は遊技球の流下方向を変更させ遊技の面白みを高めるための風車である。
【００１４】
前記透明板保持枠１０１は、遊技盤１０４の前面を覆うようにして前記本体枠１０３の上部前面に装着される。透明板保持枠１０１は前面に遊技盤１０４の遊技部１０４ａを覗く窓開口１１８が開設され、その後側に窓開口１１８を塞ぐようにして一対の透明板を平行に配設してなる透明板ユニット１１９が装着されている。また、透明板保持枠１０１の下部前面に、賞球としての遊技球を貯留し前記打球発射レール１０６に供給するための上球皿１２０が装着されている。そして、上球皿１２０から打球発射レール１０６に供給された遊技球はその発射位置に停止し、その状態で打球力調整ハンドル１１０を所望の位置まで回動することにより、打球発射装置１０７が作動して打球発射レール１０６の上面に停止する遊技球を打球する。これにより、該遊技球は内側・外側ガイドレール１１１ａ，１１１ｂ間を飛走して遊技盤１０４前面の遊技部１０４ａに打ち込まれる。
【００１５】
前記本体枠１０３の前面に形成された遊技盤収納凹部１０５は前後方向の深さが遊技盤１０４が嵌り込む程度の寸法を有し、底壁すなわち遊技盤取付面１０５ａの中央部は開放している。そして、遊技盤収納凹部１０５を前側から見て左側の上下縁部に、それぞれ遊技盤１０４の左側縁部を挟んで固定する挟着部材１２１，１２１が取着されている。各挟着部材１２１は、例えば弾性を有する金属帯板から成形され、遊技盤収納凹部１０５を前側から見て右側が解放する平面略コ字状に形成されている。
【００１６】
そして、遊技盤収納凹部１０５の正面視にて右側の上下縁部に、それぞれ遊技盤１０４の右側の上縁部と下縁部とをそれぞれ挟んで固定する遊技盤固定装置Ａ，Ａが取着されている。この場合は、各遊技盤固定装置Ａを縦向きにして遊技盤１０４の上下縁部を挟むように配置したが、横向きにして遊技盤１０４の右側縁部を挟むように配置しても良い。また、挟着部材１２１，１２１の位置及び遊技盤固定装置Ａ，Ａの位置をそれぞれ左右逆に配置しても良い。
【００１７】
図２は第１実施形態の遊技盤固定装置Ａ１の斜視図、図３はその分解斜視図である。実際にこの遊技盤固定装置Ａ１が遊技盤１０４に取り付けられる際は、図２及び図３における上側が正面側、下側が遊技盤取付面１０５ａに取り付ける側（後側）となる。
【００１８】
遊技盤固定装置Ａ１は、遊技盤収納凹部１０５の遊技盤取付面１０５ａに取着されるベース部材１０と、第一支軸２０によりベース部材１０に回動自在に軸着される可動部材３０と、第二支軸４０によりベース部材１０に回動自在に軸着されるロック機構部としてのロック部材５０とから概ね構成されている。また、遊技盤固定装置Ａ１には、可動部材３０に受け入れられ固定された遊技盤１０４を前方に付勢する弾性部材としての押圧バネ６０が設けられている。
【００１９】
前記ベース部材１０は、遊技盤取付面１０５ａに取付けられるベース板１１と、ベース板１１の中央両側縁から直角に屈曲する平行な一対のベース側板１２，１２とからなる。ベース板１１は、その周囲四隅部に螺子１３を挿通するための螺子挿通孔１４ａを設けた取付片１４によって平面視略Ｈ字状に形成されている。そして、ベース板１１のベース側板１２，１２間より一方に外れた位置にベース側板１２，１２と同じ方向へ屈曲する切り起し片１５が設けられている。また、ベース側板１２，１２には、第一支軸２０が挿通される第一軸孔１６，１６と、第二支軸４０が挿通される第二軸孔１７，１７と、ロックピン２１が挿通される弧状溝１８，１８が開設されている。第一軸孔１６，１６は、ベース側板１２，１２の切り起し片１５が形成された側のほぼ中央部に位置し、第二軸孔１７，１７は、ベース側板１２，１２の切り起し片１５が形成されていない側であって中央部よりやや下方に位置し、弧状溝１８，１８は、第二軸孔１７，１７の第一軸孔１６，１６側の斜め上方に位置して第二軸孔１７，１７を中心とする円弧状に形成されている。
【００２０】
前記可動部材３０は、ベース部材１０のベース側板１２，１２間に介在され、側面視略コ字状に形成された一対の可動側板３１，３１を有している。可動側板３１，３１は、第一支軸２０が挿通される第一可動軸孔３２，３２が開設された一対の中央側板部３３ｃ，３３ｃと、その上方と下方からそれぞれ同じ方向へ平行に延びる前側板部３３ａ，３３ａと後側板部３３ｂ，３３ｂとからなり、後側板部３３ｂの長さ寸法は前側板部３３ａよりも短く設定されている。中央側板部３３ｃ，３３ｃ、前側板部３３ａ，３３ａ、及び後側板部３３ｂ，３３ｂとで略コ字状に囲まれた嵌合凹部３４には、遊技盤１０４の側縁部が受け入れられることになる。なお、前側板部３３ａと後側板部３３ｂとの間の寸法は、遊技盤１０４の誤差を含めた厚さ寸法より広く設定されている。前側板部３３ａ，３３ａの先端縁間には連結片部３５が一体に設けられ、連結片部３５の上端縁には可動部材３０を指先で操作するための第一摘み片３６が屈曲して設けられている。また、連結片部３５の下端から前側板部３３ａ，３３ａの側縁間にかけて、嵌合凹部３４に沿うように屈曲した嵌合凹部３４の内面となる遊技盤押さえ部３７が張設されている。さらに、中央側板部３３ｃ，３３ｃにおける嵌合凹部３４の反対側の側縁３１ａ，３１ａは、くの字状に突出し、その突出部分には係止凹部３８，３８が形成されている。
【００２１】
前記ロック部材５０は、ロック部材５０を指で操作するための第二摘み片５１が設けられたロック基板５２と、ロック基板５２の両側縁から直角に屈曲し平行をなす一対のロック側板５３，５３とからなる。ロック側板５３，５３は側面略くの字状に形成され、ベース部材１０のベース側板１２，１２を跨ぐように配置される。ロック側板５３，５３の先端部には、ベース側板１２，１２の第二軸孔１７，１７と合致し第二支軸４０が挿通される第二ロック軸孔５４，５４が開設され、ロック側板５３，５３の屈曲した部分には、ベース側板１２，１２の弧状溝１８，１８に合致する支持孔５５，５５が開設されている。
【００２２】
前記押圧バネ６０は、薄い弾力性のある帯板から形成され側面略Ｌ字状をなし、組立てられた際には、可動部材３０の中央側板部３３ｃ，３３ｃ間から、ベース部材１０のベース板１１上にかけて配置されることとなる。押圧バネ６０であって、可動部材３０の中央側板部３３ｃ，３３ｃ間に位置する部分６０ａの両側縁には、平行な取付片６１，６１が直角に屈曲して設けられ、その取付片６１，６１には第一支軸２０を挿通する挿通孔６２，６２が開設されている。また、押圧バネ６０であって、ベース部材１０のベース板１１に当接する部分６０ｂには、ベース板１１に設けられた切り起し片１５を遊挿する通孔６３が開設され、その先端はベース側板１２，１２側へ弧状に屈曲するように折り返された先端屈曲部６４が設けられている。その先端屈曲部６４であって折り返された先端部分はベース板１１側へさらに屈曲されている。
【００２３】
次に、遊技盤固定装置Ａ１の組み立て方法について説明する。ベース部材１０のベース側板１２，１２間に可動部材３０の可動側板３１，３１を配置し、次いで可動側板３１，３１間に押圧バネ６０を配置し、押圧バネ６０の通孔６３にベース部材１０の切り起し片１５を嵌める。そして、ベース部材１０の第一軸孔１６，１６、可動部材３０の第一可動軸孔３２，３２、及び押圧バネ６０の挿通孔６２，６２に第一支軸２０を挿通し、可動部材３０をベース部材１０に回動自在に軸着する。次に、ベース部材１０のベース側板１２，１２を跨ぐようにロック部材５０のロック側板５３，５３を配置し、ロック側板５３，５３の支持孔５５，５５とベース部材１０の弧状溝１８，１８にロックピン２１を挿通すると共に、ロック側板５３，５３の第二ロック軸孔５４，５４とベース部材１０の第二軸孔１７，１７に第二支軸４０を挿通する。第二支軸４０を挿通する際に、第二支軸４０に規制バネであるねじりコイルバネ４１を取着し、その一端４１ａをベース部材１０のベース板１１に当接させると共に、他端４１ｂをロックピン２１が可動部材３０側へ付勢するようにロックピン２１の外周面に当接させる。これにより、ロック部材５０は、第二支軸４０を軸としてベース部材１０に回動自在に軸着され、常に可動部材３０側へ回動するように付勢されている。また、ロック部材５０が回動するとロックピン２１は弧状溝１０内で動くこととなる。
【００２４】
このようにして組み立てた２つの遊技盤固定装置Ａ１，Ａ１をパチンコ遊技機Ｐの遊技盤取付面１０５ａの右側上下に、それぞれの嵌合凹部３４，３４が対向するようにして配置する。そして、ベース部材１０のベース板１１を遊技盤取付面１０５ａに密着させて螺子１３によって遊技盤取付凹部１０５へ取付ける。
【００２５】
次に、パチンコ遊技機Ｐの遊技盤収納凹部１０５に遊技盤１０４を装着する方法を説明する。図４（イ）乃至（ハ）は遊技盤固定装置Ａ１の動作説明図である。まず、遊技盤取付面１０５ａに取付けられた各遊技盤固定装置Ａ１，Ａ１の可動部材３０を遊技盤１０４が受け入れられる傾動位置に保持させる。具体的には、ロック部材５０の第二摘み片５１をねじりコイルバネ４１の付勢に抗して後方へ押して回動させる。このとき、図４（イ）に示すようにロックピン２１は、可動部材３０の可動側板３１，３１に設けられた係止凹部３８，３８に係合しておらず、可動側板３１，３１の側縁３１ａの前側板部３３ａ側にねじりコイルバネ４１の付勢により当接し、可動部材３０を傾動位置で停止保持している。このようにして、可動部材３０を傾動位置にすることで、遊技盤１０４は遊技盤収納凹部１０５に収納できるようになる。
【００２６】
この状態で、遊技盤１０４の後面が遊技盤取付面１０５ａに対向するようにし、遊技盤１０４を遊技盤収納凹部１０５の下縁段部１０５ｂの上面に載せ、遊技盤１０４の左側縁部を遊技盤収納凹部１０５の左側に取着された挟着部材１２１，１２１内に押し込む。そして、遊技盤１０４の左側縁部を中心として遊技盤を回動させながら、図４（ロ）に示すように、遊技盤１０４の右側縁部を遊技盤固定装置Ａ１の可動部材３０の後側板部３３ｂ，３３ｂに軽く当接させる。  
【００２７】
次に、可動部材３０の第一摘み片３６を回動させながら、可動部材３０の遊技盤押さえ部３７により遊技盤１０４の前面を後方へ押す。これにより、遊技盤収納凹部１０５内に遊技盤１０４が収納される。このとき、図４（ハ）に示すように可動部材３０の係止凹部３８，３８にロック部材５０のロックピン２１が係止した状態となり、可動部材３０は遊技盤１０４が固定される固定位置に停止保持されている。また、ねじりコイルバネ４１によりロック部材５０が可動部材３０側へ付勢されているので、ロックピン２１が係止凹部３８，３８から外れるようなことはない。
【００２８】
図４（ハ）の可動部材３０が固定位置にある状態において、押圧バネ６０の先端屈曲部６４は、可動部材３０の後側板部３３ｂ，３３ｂよりも前方に位置し、遊技盤１０４の後面に当接して遊技盤１０４を前方に付勢している。よって、遊技盤１０４の前面は、可動部材３０の遊技盤押さえ部３７に当接する。これにより、遊技盤１０４が可動部材３０の遊技盤押さえ部３７と押圧バネ６０の先端屈曲部６４とにより挟まれしっかりと固定される。しかも、可動部材３０の遊技盤押さえ部３７の前後方向の位置は、遊技盤１０４の厚さによって変化することがない。つまり、可動部材３０の遊技盤押さえ部３７に当接する遊技盤の前面位置は、遊技盤の厚さに関係なく必ず所定位置（前後方向同じ位置）で固定される。よって、本発明の遊技盤固定装置Ａ１を使用することで、遊技盤１０４面と遊技盤１０４下方の球発射位置との位置関係にズレが生じることはなくなると共に、遊技盤１０４面と透明板の間隔もズレが生じることはなくなる。このようにして、球飛び状態が不安定になるなど遊技に支障がでることはなくなり、遊技球の入賞装置への入賞にも影響は生じない。
【００２９】
次に、パチンコ遊技機Ｐから遊技盤１０４を前側へ取り外す場合について説明する。図４（ハ）の状態において、遊技盤１０４の各遊技盤固定装置Ａ１におけるロック部材５０の第二摘み片５１をねじりコイルバネ４１の付勢に抗して後方へ回動させ、ロックピン２１と可動部材３０の係止凹部３８，３８との係合を外す。これにより、可動部材３０が自在に回動できるようになり、この状態で可動部材３０を第一摘み片３６によって前方へ回動させる（図４（ロ））。この可動部材３０を傾動位置に回動させる動作に伴い、遊技盤１０４の右側縁の後面が可動部材３０の後側板部３３ｂの先端部によって前方へ押し出される。この際、遊技盤１０４の後面は押圧バネ６０によっても前方へ付勢されているので、遊技盤１０４が出易い。このようにして遊技盤１０４の右側縁部は前方へ取り外される。なお、押圧バネ６０は可動部材３０とは別個であり、しかも第一支軸２０に取着されているにすぎないことから、回動することはない。
【００３０】
また、押圧バネ６０は第一支軸２０が挿通されることによって第一支軸２０に取り付けられるので、例えばビスにより押圧バネを遊技盤固定装置Ａ１に固定するといった面倒な取付作業が不要になる。
【００３１】
図５（イ）及び（ロ）は、第２実施形態の遊技盤固定装置Ａ２の動作説明図である。なお、この遊技盤固定装置Ａ２は、弾性部材である押圧バネ以外は第１実施形態の遊技盤固定装置Ａ１と構成がほとんど同じであるので、同一部位は同一番号を付すことにより詳しい説明は省略する。
【００３２】
第２実施形態の遊技盤固定装置Ａ２の押圧バネ７０は、薄い弾力性のある帯板から形成され、図５に示すように取付片７１，７１から前後方向に伸びると共に先端部が同じ方向へ曲がって側面略Ｃ字状をなしている。具体的には、ベース部材１０のベース板１１に当接するように屈曲して延設された押圧バネ７０ｂは、ベース部材１０のベース板１１に設けられた切り起し片１５が挿通される通孔７３が開設されると共に、その先端はベース側板１２，１２側へ弧状に屈曲するように折り返されて先端屈曲部７４が設けられている。その先端屈曲部７４であって折り返された先端部分はベース板１１側へさらに屈曲されている。一方、押圧バネ７０であって可動部材３０の前側板部３３ａ，３３ａ側に湾曲して延設された部分７０ａは、その先端側が可動部材３０の前側板部３３ａ，３３ａの外縁に屈曲させて設けた受止片３９，３９に当接している。つまり、押圧バネ７０は、固定位置（図５（ロ））である可動部材３０の受止片３９に当接することで、可動部材３０を前方へ付勢している。よって、遊技盤１０４の取り外しの際に、ロック部材５０の第二摘み片５１を後方へ押して、ロック部材５０のロックピン２１と可動部材３０の係止凹部３８，３８との係合を解除すると（図５（イ））、押圧バネ７０の弾性力により、可動部材３０が傾動位置に達するように回動し、遊技盤収納凹部１０５に装着され固定されていた遊技盤１０４は、その後面を可動部材３０の後側板部３３ｂによって自動的に前方へ押し出されることになり、遊技盤１０４の取出作業が容易に行なえる。
【００３３】
また、図５（ロ）の可動部材３０が固定位置にある状態において、押圧バネ７０の先端屈曲部７４は、可動部材３０の後側板部３３ｂ，３３ｂよりも前方に位置し、遊技盤１０４の後面に当接して遊技盤１０４を前方に付勢している。よって、遊技盤１０４の前面は、可動部材３０の遊技盤押さえ部３７に当接する。これにより、遊技盤１０４が可動部材３０の遊技盤押さえ部３７と押圧バネ７０の先端屈曲部７４とにより挟まれしっかりと固定される。しかも、可動部材３０の遊技盤押さえ部３７の前後方向の位置は、遊技盤１０４の厚さによって変化することがない。つまり、可動部材３０の遊技盤押さえ部３７に当接する遊技盤の前面位置は、遊技盤の厚さに関係なく必ず所定位置（前後方向同じ位置）で固定される。よって、本発明の遊技盤固定装置Ａ２を使用することで、遊技盤１０４面と遊技盤１０４下方の球発射位置との位置関係にズレが生じることはなくなると共に、遊技盤１０４面と透明板の間隔もズレが生じることはなくなる。このようにして、球飛び状態が不安定になるなど遊技に支障をきたすことはなくなり、遊技球の入賞装置への入賞にも影響は生じない。
【００３４】
図６は第３実施形態の遊技盤固定装置Ａ３の斜視図であり、図７（イ）、（ロ）は同実施形態の遊技盤固定装置Ａ３の動作説明図である。なお、この遊技盤固定装置Ａ３は、弾性部材である押圧バネ以外は第１実施形態の遊技盤固定装置Ａ１と構成がほとんど同じであるので、同一部位は同一番号を付すことにより詳しい説明は省略する。この第３実施形態の遊技盤固定装置Ａ３にあっても、可動部材３０における前側板部３３ａと後側板部３３ｂとの間の寸法は遊技盤１０４の誤差を含めた厚さ寸法より少し広く設定されている。
【００３５】
遊技盤固定装置Ａ３の弾性部材である押圧バネ８０は、薄い弾力性のある帯板から形成され側面略Ｌ字状をなし、可動部材３０の中央側板部３３ｃ，３３ｃ間から、後側板部３３ｂ，３３ｂ間にかけて配置される。可動部材３０の中央側板部３３ｃ，３３ｃ間に位置する押圧バネ８０ａの両側縁には、それぞれ上下に二対の支持小片８１，８１，８１，８１が突設されている。これら二対の支持小片８１は、可動部材３０の可動側板３１，３１の嵌合凹部３４に接する側縁３１ｂ，３１ｂに当接するようになっている。また、押圧バネ８０ａの両側縁であって上下の支持小片８１の間には、直角に屈曲した取付片８２，８２が平行に設けられ、取付片８２，８２には第一支軸２０を挿通する挿通孔８３，８３が開設されている。一方、押圧バネ８０であって可動部材３０の後側板部３３ｂ，３３ｂ間に位置する部分８０ｂの先端は、ベース板１１側へ屈曲したあと、さらにベース側板１２，１２側へ弧状に屈曲するように折り返され、折り返された先端部分はベース板１１側へさらに屈曲して形成されている。このようにして押圧バネ８０ｂの先端には側面略菱形状に屈曲された先端屈曲部８４が設けられている。
【００３６】
また、本実施例の固定装置Ａ３の組み立てにおいて、ベース部材１０へ第一支軸２０により可動部材３０を軸着する際に、押圧バネ８０を可動部材３０の嵌合凹部３４に接する側縁３１ｂ，３１ｂ上に配置し、押圧バネ８０の取付片８２，８２の挿通孔８３，８３に第一支軸２０を挿通する。このとき、押圧バネ８０の各支持小片８１は可動部材３０の側縁３１ｂ，３１ｂに当接して固定されており、押圧バネ８０は可動部材３０と共に回動することとなる。そして、図７（イ）に示すように、遊技盤１０４の装着前であって、可動部材３０が傾動位置にあるとき、押圧バネ８０の先端屈曲部８４は可動部材３０の後側板部３３ｂ，３３ｂよりも後方に位置している。よって、遊技盤収納凹部１０５に装着される遊技盤１０４は、まず可動部材３０の後側板部３３ｂ，３３ｂの先端部に当接して可動部材３０の嵌合凹部３４に受け入れられる。また、図７（ロ）に示すように、遊技盤１０４が遊技盤収納凹部１０５に装着され、可動部材３０が固定位置にあるとき、押圧バネ８０の先端屈曲部８４は可動部材３０の後側板部３３ｂ，３３ｂよりも前方に位置し、遊技盤１０４の後面に当接して遊技盤１０４を前方に付勢している。よって、遊技盤１０４の前面は、可動部材３０の遊技盤押さえ部３７に当接する。これにより、遊技盤１０４が可動部材３０の遊技盤押さえ部３７と押圧バネ８０の先端屈曲部８４とにより挟まれしっかりと固定される。しかも、可動部材３０の遊技盤押さえ部３７の前後方向の位置は、遊技盤１０４の厚さによって変化することがない。すなわち、可動部材３０の遊技盤押さえ部３７に当接する遊技盤の前面位置は、遊技盤の厚さに関係なく必ず所定位置（前後方向同じ位置）で固定される。よって、本発明の遊技盤固定装置Ａ３を使用することで、遊技盤１０４面と遊技盤１０４下方の球発射位置との位置関係にズレが生じることはなくなると共に、遊技盤１０４面と透明板の間隔もズレが生じることはなくなる。このようにして、球飛び状態が不安定になるなど遊技に支障がでることはなくなり、遊技球の入賞装置への入賞にも影響は生じない。
【００３７】
前述した各実施例の遊技盤固定装置Ａ１、Ａ２及びＡ３は、遊技盤の位置ずれを防止するだけでなく、可動部材３０の嵌合凹部３４の幅寸法（前側板部３３ａと後側板部３３ｂとの距離）を遊技盤１０４の厚さのばらつきも考慮して大きく設定することができることから、嵌合凹部３４に遊技盤１０５の側縁部が受け入れられる際に、可動部材３０で遊技盤１０４前面の化粧シートをキズつけることがないという効果も奏する。さらに、弾性部材を第一支軸２０に取り付けられるようにしたので、弾性部材の組み付けに例えばビス止めといった面倒な取付作業が不要になり、組立ての簡略化が可能になる。
【００３８】
各実施形態の押圧バネ６０，７０，８０にあっては、遊技盤１０４後面を押圧する際に遊技盤１０４後面と接する面積が大きくなるように帯状のバネ板を使用したが、線状のバネであっても良い。また、押圧バネ６０，７０，８０を第一支軸２０に取着し可動部材３０と一体に（第３実施例）、または、別個に（第１実施例及び第２実施例）動作させるようにしたが、押圧バネをベース部材１０に取着するようにしても良い。更に、ロック機構部は前記実施の形態に限定されるものではなく、可動部材３０に係脱自在に係止する構成のものであれば、いずれも実施可能である。
【符号の説明】
【００３９】
１０                ベース部材
２０                第一支軸
２１                ロック機構部（ロックピン）
３０                可動部材
３７                遊技盤押さえ部
４０                第二支軸
５０                ロック機構部（ロック部材）
６０                弾性部材（第１実施形態の押圧バネ）
７０                弾性部材（第２実施形態の押圧バネ）
８０                弾性部材（第３実施形態の押圧バネ）
１００              遊技機本体
１０４              遊技盤
１０５              遊技盤収納凹部
１０５ａ            遊技盤取付面
Ａ                  遊技盤固定装置
【図１】
2015037459.tif 000003
【図２】
2015037459.tif 000004
【図３】
2015037459.tif 000005
【図４】
2015037459.tif 000006
【図５】
2015037459.tif 000007
【図６】
2015037459.tif 000008
【図７】
2015037459.tif 000009